(57)【特許請求の範囲】
【請求項１】
ポリシリコンが接触する金属部材の表面に樹脂製カバーを設けることにより、ポリシリコンと金属部材との接触によるポリシリコンの金属汚染を防止する方法において、
前記樹脂製カバーとして、互いに柔軟性の異なる２枚の樹脂シートを使用し、
柔軟性の高い樹脂シートを下側に配置するようにして、前記２枚の樹脂シートを重ねて設けることを特徴とするポリシリコン金属汚染防止方法。
【請求項２】
前記樹脂製カバーを、樹脂製ボルトを用いて、２枚の樹脂シートを脱着自在に金属部材表面に取り付ける請求項１に記載のポリシリコン金属汚染防止方法。
【請求項３】
前記２枚の樹脂シートとして、互いに色調の異なるものを使用する請求項１または２に記載のポリシリコン金属汚染防止方法。
【請求項４】
前記２枚の樹脂シートにおいて、下側樹脂シートとは色調の異なる上側樹脂シートとして、半透明のものを使用する請求項３に記載のポリシリコン金属汚染防止方法。
【発明の詳細な説明】
【技術分野】
【０００１】
本発明は、ポリシリコンの金属汚染を防止する方法に関するものであり、より詳細には、ポリシリコンと金属基板との接触によって生じるポリシリコンの金属汚染を防止する方法に関するものである。
【背景技術】
【０００２】
ポリシリコンは、半導体あるいは太陽光発電用ウェハーの原料として使用されているが、高純度であることが要求されており、特に、抵抗値などの電気的特性の低下を回避するという観点から、金属不純物の混入を極力防止することが必要である。
【０００３】
ところで、ポリシリコンは、一般に、トリクロロシランなどのケイ素化合物を水素等により還元することにより製造され、ロッド状或いは大きな塊状物の形で得られる。このような形態で得られたポリシリコンは破砕され、次いでエッチングによって破砕時に付着した汚染物を除去し、水洗及び乾燥工程を経て、シリコン単結晶製造工程へと搬送される。このような過程では、例えば種々の金属製部材（例えば、シュータ、ホッパー、破砕台、エッチング槽、水洗槽、乾燥機など）が使用されているため、これら金属製部材との接触によるポリシリコンの金属汚染を防止することが必要である。
【０００４】
ポリシリコンの金属汚染を回避するためには、金属製部材の代わりに、樹脂製部材を用いることが最も簡単な手段であり、例えば特許文献１の段落［０００３］には、ポリシリコンの金属汚染が問題となることに加えて、ポリシリコンが金属と接触する部分に樹脂製部材を使用することが教示されている。
【先行技術文献】
【特許文献】
【０００５】
【特許文献１】特開平１１−１６９７９５号公報
【発明の概要】
【発明が解決しようとする課題】
【０００６】
しかるに、樹脂製部材は、金属製部材に比して強度や耐久性の問題があるため、金属製部材そのものを樹脂製部材に置き換えることができない場合が殆どであり、例えば、上記で例示したホッパーなどの金属製部材では、その表面に樹脂製のカバーを設けることで対処されているのが実情である。
【０００７】
しかしながら、樹脂製のカバーを設けた場合においても、未だ課題が残されている。即ち、樹脂製品は、金属製品に比して摩耗等による消耗が激しい。このため、樹脂製カバーを設けた場合には、樹脂製カバーの摩耗によって金属表面が露出してしまい、このために、ポリシリコンの金属汚染が生じてしまうという問題がある。また、このような問題を確実に回避するためには、頻繁に品質管理を行わなければならないばかりか、樹脂製カバーが摩耗して金属表面が露出している部分を見つけるために、部材の全体にわたって詳細にチェックしなければならないという問題もあり、特に金属製部材が大きく、大面積の部分に樹脂製カバーが設けられているようなときには、品質管理作業にかかる負担が極めて大きい。
【０００８】
従って、本発明の目的は、ポリシリコンと接触する金属部材の表面に樹脂製カバーを設けることによりポリシリコンの金属汚染を防止する方法において、該カバーの摩耗による金属の表面露出を確実に防止することができる方法を提供することにある。
本発明の他の目的は、樹脂製カバーの摩耗を速やかに知見することができ、品質管理作業の負担を軽減することが可能なポリシリコンの金属汚染防止方法を提供することにある。
【課題を解決するための手段】
【０００９】
本発明によれば、ポリシリコンが接触する金属部材の表面に樹脂製カバーを設けることにより、ポリシリコンと金属部材との接触によるポリシリコンの金属汚染を防止する方法において、
前記樹脂製カバーとして、互いに柔軟性の異なる２枚の樹脂シートを使用し、
柔軟性の高い樹脂シートを下側に配置するようにして、前記２枚の樹脂シートを重ねて設けることを特徴とするポリシリコン金属汚染防止方法が提供される。
【発明の効果】
【００１０】
本発明の方法においては、樹脂製カバーが２枚の樹脂シートを重ねて金属部材の表面に設けるため、ポリシリコンと接触する上側に配置される樹脂シート（上側樹脂シート）が摩耗し、該上側樹脂シートの下の面が露出してしまったとしても、その露出面は下側に配置されている樹脂シート（下側樹脂シート）の面であるため、ポリシリコンと金属部材との接触が防止され、ポリシリコンの金属汚染を確実に防止することができる。また、上側樹脂シートが摩耗してしまった場合には、この樹脂シートのみを交換すればよく、樹脂シートの交換によるコストを低減することができる。
【００１１】
また、本発明においては、前記樹脂製カバーを、樹脂製ボルトを用いて、２枚の樹脂製基板を脱着自在に金属部材の表面に取り付けることが好適である。これにより、各樹脂製基板の取り付け作業及び交換作業を容易に行うことができ、勿論、ボルトとの接触によるポリシリコンの金属汚染も回避することができる。
【００１２】
しかも、上記のようにボルト固定により樹脂製カバーを設けた場合には、取り付け作業や取り外し作業が容易であるため、摩耗等による交換作業の頻度が極めて少ない下側樹脂シートを大面積とし、摩耗等による交換頻度の高い上側樹脂シートは、これを小面積とし、多数の上側樹脂シートを、隙間無く、下側樹脂シート上に敷き詰めて取り付けておくことにより、摩耗箇所のみを取り外して交換するようにすることもでき、これにより、コストの軽減を図ることができる。
【００１３】
さらに、本発明方法では、２枚の樹脂シートを重ねて設けることにより樹脂製カバーを設けているため、上側樹脂シートと下側樹脂シートとで特性の異なるものを使用することにより、種々の利点が発生する。
【００１４】
具体的には、本発明においては、前記２枚の樹脂シートとして、互いに柔軟性の異なるものを使用し、柔軟性の高い樹脂シートを下側に配置する。この態様によれば、下側樹脂シートと下地の金属部材表面との密着性が高く、金属部材に対しての保護効果が高くなるばかりか、上側樹脂シートとポリシリコンとの接触などにより面方向に応力が発生した場合、この下側樹脂シートの表面が上側樹脂シートに追随して変位し易く、この結果、上側樹脂シートと下側樹脂シートとの擦れによる摩耗を効果的に低減することができる。しかも、上側樹脂シートの硬度を高くすることによって、ポリシリコンとの接触による摩耗を低減し、その寿命を向上させることができる。
【００１５】
また、前記２枚の樹脂シートとして、互いに色調の異なるものを使用することにより、上側の樹脂シートの摩耗を容易且つ迅速に発見することができる。即ち、色調が異なるため、上側樹脂シートが摩耗して下側樹脂シートの表面が露出したときには、下側樹脂シートの色調を目視によって簡単に認識することができる。従って、この態様によれば、品質管理作業の負担を著しく軽減することができるばかりか、上側樹脂シートの摩耗を迅速に発見できるため、下側の樹脂シートの摩耗による金属部材表面の露出を確実に防止することができ、ポリシリコンの金属汚染を一層確実に防止することができる。
【００１６】
さらに、上記のように上側樹脂シートと下側樹脂シートとの色調を異なるものとしたとき、下側樹脂シートとは色調の異なる上側樹脂シートとして、半透明のものを使用することが好適である。この場合には、上側樹脂シートの摩耗にしたがって、下側樹脂シートの色調が徐々に外部から観察されるようになるため、下側樹脂シートの表面が完全に露出する前の段階で上側樹脂シートを交換することも可能となり、上側樹脂シートの摩耗の程度に応じて、適宜、上側樹脂シートを交換することができる。
【図面の簡単な説明】
【００１７】
【図１】本発明方法が適用されたホッパーの構造を示す断面図。
【図２】図１のホッパーの壁面構造を示す部分拡大断面図。
【発明を実施するための形態】
【００１８】
本発明のポリシリコンの金属汚染防止方法は、ポリシリコンと接触する部位に配置される種々の金属製部材に適用することができるが、特に大型であり、しかも、強度や耐久性が要求され、これを樹脂製部材に置き換えることができない金属製部材に適用される。例えば、ポリシリコンの搬送、供給、排出などが行われる部位に使用されるシュータやホッパー、或いはポリシリコンの破砕に際して、ポリシリコンの保持のために使用される破砕台、その他、ポリシリコンのエッチング処理を行うためのエッチング槽、その他、ポリシリコンの水洗や乾燥に際して、ポリシリコンを保持するための部材などに適用される。
【００１９】
図１には、本発明方法が適用された金属部材であるホッパーを示したものであり、図２には、その壁面の部分拡大断面図が示されている。
【００２０】
図１及び図２を参照して、この金属製ホッパーは、金属基板１から形成されており、この金属基板１は、直胴部１ａとテーパー部１ｂとからなっており、直胴部１ａの上部開口からポリシリコンの塊状物、粒状物等が投入され、テーパー部１ｂの下端に形成されている開口から下方に排出され、例えば所定の樹脂製容器等にポリシリコンが供給されるようになっている。
【００２１】
この金属基板１の内面（このホッパーに投入されるポリシリコンが接触する側の面）には、本発明にしたがい、その全体にわたって樹脂製カバー３が敷き詰められており、樹脂製カバー３によってポリシリコンと金属基板１との接触が防止され、ポリシリコンの金属汚染が回避される構造となっている。このような樹脂製カバー３は、例えば、ナイロン等のポリアミド等で形成された樹脂製ボルト５によって金属基板１に固定されている。即ち、ボルト５も樹脂製であるため、ポリシリコンの金属汚染が確実に回避される。
【００２２】
金属基板１の材質は、通常、耐久性などの観点から、ステンレススチール製であり、ホッパー以外の金属製部材においても、通常、ステンレススチール製が採用される。勿論、金属部材の用途などにしたがって要求される特性に応じて、各種表面処理鋼板やアルミニウム等の軽金属板であってもよい。
【００２３】
本発明においては、この樹脂製カバー３が、金属基板１と上側樹脂シート３ａと下側樹脂シート３ｂとが重ね合わされて形成されており、互いに分離して取り外し可能となっている。即ち、これらの樹脂シート３ａ，３ｂには、樹脂製ボルト５を貫通するための孔が形成されており、上側樹脂シート３ａと下側樹脂シート３ｂとを重ね合わせた状態で、樹脂製ボルト５により金属基板１の内面に固定されている。即ち、上側樹脂シート３ａにポリシリコンが接触するため、この上側樹脂シート３ａが次第に摩耗していくが、この摩耗によって下側樹脂シート３ｂの表面が露出したときには、ボルト５を外し、上側樹脂シート３ａのみが交換されることとなる。従って、このような交換作業を容易に行うという観点から、ボルト５は、上側樹脂シート３ａ側から挿入して固定することが好適である。この場合、ボルト５の頭部は上側樹脂シート３ａ側に位置することとなるが、この頭部が突出しないように、ボルト５が締結される部分（即ち、ボルト５を貫通する孔が設けられている部分では、上側樹脂シート３ａの上面に適当な凹部を設けておくのがよい。
【００２４】
上述した上側樹脂シート３ａ及び下側樹脂シート３ｂの厚みは、特に制限されず、ポリシリコンによる摩耗の度合いに応じて適宜の厚みとすればよいが、一般的には、摩耗による消耗が大きい上側樹脂シート３ａの厚みを厚くし、下側樹脂シート３ｂの厚みは、さほど厚くなくてもよく、上側シート３ａの摩耗により、その表面が露出してしまったとき、ある程度の時間、金属基板１の表面が露出しないように設定されていればよい。
【００２５】
また、上側樹脂シート３ａ及び下側樹脂シート３ｂは、金属基板１の内面全体にわたって重ねられた状態で敷き詰められている限り、その大きさは任意であり、例えば、大面積に形成された下側樹脂シート３ｂの複数枚を金属基板１の内面全体に敷き詰め、一方、上側樹脂シート３ａを小面積とし、下側樹脂シート３ｂのそれぞれに、複数枚の上側樹脂シート３ａを敷き詰めるようにすることもできる。さらに、摩耗し易い部分には、他の部分に比して多数の上側樹脂シート３ａが存在するようにすることもできる。例えば、図１のテーパー部１ｂに配置されている上側樹脂シート３ａは、直胴部１ａに配置されているものに比して摩耗による消耗が大きく、交換の頻度が高くなるため、テーパー部１ｂに配置される上側樹脂シート３ａの枚数を多くすることにより、摩耗した部分についてのみ、その交換を行えばよく、コストダウンや交換作業が容易となるなどの点で有利である。
【００２６】
このように、本発明の方法によれば、ポリシリコンと接触する上側樹脂シート３ａが摩耗した場合にも、金属基板１の表面には、下側樹脂シート３ｂが存在しているため、上側樹脂シート３ａのみを交換することにより、金属基板１の表面とポリシリコンとの接触を常時防止することができ、ポリシリコンの金属汚染を確実に防止することができる。
【００２７】
また、本発明においては、上側樹脂シート３ａ及び下側樹脂シート３ｂを形成する樹脂は、シート状に成形される限り、特に制限されるものではなく、例えば熱可塑性樹脂、熱硬化性樹脂、熱可塑性エラストマー等の何れにより形成されていてもよいが、通常は、ポリシリコンの金属汚染を防止するという観点から、アイオノマーのように、金属元素を含むような樹脂は避けるのがよい。また、上側樹脂シート３ａと下側樹脂シート３ｂとは、両者を異なる樹脂で形成し或いは同種の樹脂であっても、特性の異なるものを使用し、上側樹脂シート３ａ及び下側樹脂シート３ｂの位置に応じた特性を持たせることが好適である。
【００２８】
上側樹脂シート３ａ及び下側樹脂シート３ｂとしては、互いに柔軟性の異なるものを使用する。具体的には、下側樹脂シート３ｂとして柔軟性の高いもの［例えばゴム硬度（ＪＩＳ  Ｋ６２５３  ショアＡ）がＡ９０未満］を使用し、上側樹脂シート３ａとしては、耐摩耗性が要求されるため、ゴム硬度がＡ９０以上の硬質のものが好適である。このような場合には、下側樹脂シート３ｂと金属基板１の表面と間に高い密着性を確保することができ、金属基板１に対しての保護効果が高められるばかりか、上側樹脂シート３ａとポリシリコンとの接触などにより面方向に応力が発生した場合、下側樹脂シート３ｂの表面が上側樹脂シート３ａに追随して変位するため、これにより、上側樹脂シート３ａと下側樹脂シート３ｂとの擦れによる摩耗を効果的に低減し、上側樹脂シート３ａの硬度が高いこともあって、上側樹脂シート３ａの耐久性を向上させ、その交換頻度を少なくすることができる。
【００２９】
また、上側樹脂シート３ａと下側樹脂シート３ｂとの色調が異なっているときには、上側樹脂シート３ａの摩耗を容易且つ迅速に知見でき、品質管理作業の負担を軽減することができる。即ち、色調が異なるため、上側樹脂シート３ａが摩耗して下側樹脂シート３ｂの表面が露出したときには、下側樹脂シート３ｂの色調を目視によって簡単に認識することができ、品質管理作業の負担を著しく軽減することができる。また、上側樹脂シート３ａの摩耗を迅速に発見し、その交換時期を確実に判定でき、下側樹脂シート３ｂの摩耗による金属基板１表面の露出を確実に防止し、ポリシリコンの金属汚染を一層確実に防止することができる。
【００３０】
さらに、上側樹脂シート３ａと下側樹脂シート３ｂとの色調を異なるものとする場合において、下側樹脂シート３ａの色調を有色、特に黒、赤、青、緑などの色とし、その表面が露出したときに一目で認識できるようなものとし、同時に、上側樹脂シート３ａを半透明、特に白等の無彩色の半透明とすることが最も好適である。かかる態様によれば、上側樹脂シート３ａが摩耗して厚みが薄くなるにしたがって、下側樹脂シート３ｂの色調が徐々に外部から観察されるようになり、上側樹脂シート３ａの摩耗の程度を把握することができる。
【００３１】
色調の調整に際しては、ポリシリコンの金属汚染を防止するという観点から、無機顔料を使用せず、有機顔料乃至染料或いはカーボンブラックなどにより色調調整することが好ましく、特に上側樹脂シート３ａは、常時ポリシリコンと接触するため、その色調は、顔料等を添加しない状態の色であることが好ましい。
尚、上側樹脂シート３ａの半透明の程度は、一般に、曇り度（ヘイズ）が２０乃至９０程度の範囲とすることが、上側樹脂シートの摩耗を、下側樹脂シートの色調が透過する度合いにより明瞭に確認することができ、交換時期を認識し易いため好ましい。即ち、上側樹脂シートの透明性が高く、下側樹脂シート３ｂの色調を始めから認識できる場合には、摩耗の進行度合いを認識することができないし、その不透明の度合いが高すぎる場合には、上側樹脂シート３ａが摩耗し、下側樹脂シート３ｂの表面が露出するまで、上側樹脂シート３ａの交換時期を認識することができないからである。
【００３２】
また、本発明においては、金属基板１が形成する金属部材が配置される位置などに応じて、樹脂シート３ａ，３ｂの樹脂素材の種類を適宜変更することができる。
【００３３】
例えば、破砕台のような硬度が要求される金属部材に本発明を適用する場合には、上側樹脂シート３ａは特に硬質のものが好適であると同時に、後段のエッチング工程や水洗工程で、ポリシリコンに混入した樹脂の摩耗粉を除去できるという観点から、ナイロン等のポリアミドや、ポリエチレン、ポリプロピレン等のポリオレフィン（硬度の観点から特にポリプロピレン）などにより樹脂シート３ａ，３ｂ、特に上側樹脂シート３ａが形成されていることが好適である。即ち、ポリアミドは、エッチングに際して使用される薬液に溶解するため、この工程で、その摩耗粉をポリシリコンから除去することができる。また、ポリオレフィンは、水に浮遊するため、水洗工程でその摩耗粉をポリシリコンから除去することができる。
【００３４】
さらに、下側樹脂シート３ｂを、微量のコモノマーを含むポリテトラフルオロエチレン等の含フッ素樹脂で形成するときには、高い耐薬品性と柔軟性とにより、樹脂シート３ａ，３ｂの摩耗を効果的に抑制でき、且つ金属基板１を薬液から保護することができる。
【００３５】
上述したように、本発明方法によれば、ホッパーを始め、その他の金属部材を構成する金属基板の表面に、２枚の樹脂シート３ａ，３ｂを重ねて設けることにより、ポリシリコンの金属汚染を、確実に防止することができ、その品質管理作業も極めて容易となる。
【符号の説明】
【００３６】
１：金属基板
３：樹脂製カバー
３ａ：上側樹脂シート
３ｂ：下側樹脂シート
５：樹脂製ボルト
【図１】
0005455530.tif 000002
【図２】
0005455530.tif 000003